(57)【要約】【課題】部品およびアビオニクス装置全体を短時間で交換できることにより利便性を改善する。【解決手段】本発明のアビオニクス装置キャリアシステムは、データ処理、データ送信、データ記憶またはデータ表示装置、例えば電子回路プリント回路基板、ネットワーク要素、記憶装置、ディスプレイ装置およびその類似する装置、または電源装置を有するスライドインモジュールのためのものであって、ハウジングと、スライドインモジュールを収容する少なくとも１つのモジュールラックと、イーサネット（登録商標）接続アーキテクチャを有する少なくとも１つのバックプレーンボードとを備える。ハウジングは、ＡＲＩＮＣ標準の寸法を有し、ハウジングは、迅速取付ハウジングとしてアビオニクスモジュールラックの組み込みのために配置され、迅速取付ハウジングとして設計されるスライドインモジュールにおいて、特定の標準形式の任意の所望の回路基板が使用される。【選択図】図１
2009509222.tif 000002
【特許請求の範囲】
【請求項１】
データ処理、データ送信、データ記憶またはデータ表示装置、電子回路プリント回路基板、ネットワーク要素、記憶装置、ディスプレイ装置およびその類似する装置、または電源装置を有するスライドインモジュール（４、６、８）のためのアビオニクス装置キャリアシステム（２）であって、
ハウジング（１２）と、
前記スライドインモジュール（４、６、８）を収容する少なくとも１つのモジュールラックと、
イーサネット（登録商標）接続のアーキテクチャを有する少なくとも１つのバックプレーンボード（３０）とを備え、
前記ハウジング（１２）は、ＡＲＩＮＣ標準の寸法を有し、
前記ハウジングは、迅速取付ハウジングとしてアビオニクスモジュールラック（１）の組み込みのために配置され、
迅速取付ハウジングとして設計される前記スライドインモジュール（４、６、８）において、特定の標準形式の任意の所望の回路基板が使用される、ことを特徴とするアビオニクス装置キャリアシステム（２）。
【請求項２】
前記スライドインモジュール（４）は、包囲ハウジング（１４）の中に収容される前記電子回路プリント回路基板を備える、ことを特徴とする請求項１に記載のアビオニクス装置キャリア方式（２）。
【請求項３】
アダプタプリント回路基板（１８）が前記標準形式の電子回路プリント回路基板の端末割当てを適応させるために使用される、ことを特徴とする請求項１または２に記載のアビオニクス装置キャリアシステム（２）。
【請求項４】
前記標準形式の電子回路プリント回路基板が、コンパクトＰＣＩボードである、ことを特徴とする請求項３に記載のアビオニクス装置キャリアシステム（２）。
【請求項５】
前記ハウジング（１２）が、ハードディスク（６）を収容するためのモジュールラック（１１）を備える、ことを特徴とする請求項１乃至４のいずれか１つに記載のアビオニクス装置キャリアシステム（２）。
【請求項６】
ハードディスクを収容するために使用される前記モジュールラック（１１）は、振動を縮小するために、前記ハウジング１２の内部で保持される、ことを特徴とする請求項５に記載のアビオニクス装置キャリアシステム（２）。
【請求項７】
ハードディスク（６）を収容するための前記モジュールラック（１１）が、バックプレーンボードを経由して前記モジュールラック（１１）において設置されるコネクタストリップ（３４）によって、前記スライドイン前記モジュール４に接続している、ことを特徴とする請求項６に記載のアビオニクス装置キャリアシステム（２）。
【請求項８】
前記アビオニクス装置キャリアシステム（２）の状態データを表示するためのディスプレイ装置（２８）を備える、ことを特徴とする請求項１乃至７のいずれか１つに記載のアビオニクス装置キャリアシステム（２）。
【請求項９】
前記ディスプレイ装置（２８）が、前記アビオニクス装置キャリアシステム（２）を制御するための操作ボタンを備える、ことを特徴とする請求項８に記載のアビオニクス装置キャリアシステム（２）。
【請求項１０】
アビオニクス装置キャリアシステム（２）が、他のアビオニクス装置キャリアシステム（２）とカスケード接続が可能である、ことを特徴とする請求項１乃至９のいずれか１つに記載のアビオニクス装置キャリアシステム（２）。
【請求項１１】
スライドインモジュール（４、６、８）が、進行中の動作の間、交換可能である、ことを特徴とする請求項１乃至１０のいずれか１つに記載のアビオニクス装置キャリアシステム（２）。
【請求項１２】
前記ハウジング（１２）が、嵌入される前記アビオニクス装置キャリアシステム（２）を有する前記アビオニクスモジュールラック（１）のコネクタソケットに接続するコネクタストリップ（３６）を備える、ことを特徴とする請求項１乃至１１のいずれか１つに記載のアビオニクス装置キャリアシステム（２）。
【請求項１３】
前記イーサネット（登録商標）接続のデータトラフィックを制御するためのアビオニクス装置キャリアシステム（２）装置が、スライドインモジュール（４）に収容される、ことを特徴とする請求項１乃至１２のいずれか１つに記載のアビオニクス装置キャリアシステム（２）。
【発明の詳細な説明】
【技術分野】
【０００１】
［関連出願の参照］
本出願は、２００５年９月１９日に出願の独国特許出願第１０  ２００５  ０４４  ７１２．０号明細書、および２００５年９月２０日に出願の米国仮特許出願第６０／７１８，６７２号明細書の出願日の利益を主張するものであり、その開示は参照によって本明細書に援用されている。
【０００２】
本発明は、データ処理、データ送信、データ記憶またはデータ表示の装置（例えば、電子プリント回路基板、ネットワーク要素、記憶装置、表示装置など）または電源装置を有する、スライドインモジュール用のアビオニクス装置キャリアシステムに関し、当該システムは、ハウジングと、スライドインモジュールを収容するための少なくとも１つのモジュールラックと、イーサネット（登録商標）接続アーキテクチャを有する少なくとも１つのバックプレーン基板とを備える。
【背景技術】
【０００３】
航空機におけるアビオニクス装置は、コックピット内またはコックピットのごく近くに配置するアビオニクスラックに統合するのが一般的である。
通常、アビオニクスラックの個々の機器室は、例えばＡＲＩＮＣ６００で規定される共通規格を満たす寸法を有する。
これにより、標準化された寸法を有する部品を収容できるばかりでなく、最初の装置とは別に、後で航空機の次の改装（レトロフィット）を行う場合に、新しい装置の統合が容易になる。
標準化された寸法を有する装置は、比較的広範囲の製造業者によって提供することができ、仕様書ごとに製造された装置と比較すると経済的である。
【０００４】
アビオニクス装置は、いくつかの部品を備えることが多く、それらが共に作用することによって、所望のシステムになる。
そのような部品は、例えば、サーバ、ゲートウェイ、インタフェースおよび電源装置を含むことある。それらを共に共通の装置キャリア内に設置し、アビオニクスラックに統合する。
現在ある装置キャリアは、障害の場合、または所望のレトロフィットの場合に、個々の部品を迅速に交換することができる（この能力のためにライン交換可能ユニット（ＬＲＵ）とも呼ばれる）が、構成要素としてこの能力を提供するわけではない。
従って、ロックウェルコリンズ（Ｒｏｃｋｗｅｌｌ  Ｃｏｌｌｉｎｓ）ＩＳＣ―２１００（情報サービスキャビネット、ｈｔｔｐ：／／ｗｗｗ．ｒｏｃｋｗｅｌｌｃｏｌｌｉｎｓ．ｃｏｍ／ｐｒｏｄｕｃｔｓ／ｃｓ／ａｔ／ｐａｇｅ９８２．ｈｔｍｌも参照にされたい）は、ＬＲＵとして設計されない。すなわち、アビオニクスラックから迅速に取り外すことができず、それどころか、取り外しには一定の努力、とりわけ相当な時間を要する。
しかしながらＩＳＣ―２１００は、その前面に様々な部品を比較的容易に備えることができる。
しかしながら、ＩＳＣ―２１００の包囲ハウジングの寸法は、ＡＲＩＮＣ規格に準拠していない。その結果、特にＩＳＣ―２１００のために航空機における特注収容ラックが必要になり、そのラック内であればハウジングを確実に設置できる。
「エアバス飛行情報サービス（Ａｉｒｂｕｓ  Ｆｌｉｇｈｔ  Ｉｎｆｏｒｍａｔｉｏｎ  Ｓｅｒｖｉｃｅ）」装置（ＡＦＩＳ）（ロックウェル社によって製造される）は、ＡＲＩＮＣに準拠する寸法を有し、ＬＲＵを取り囲むハウジングを備えるが、ＬＲＵとして設計された部品は備えない。
従って、ＡＦＩＳの個々の部品を短時間で交換することはできない。
ネットワークサーバシステムＳＡＧＥＭ  Ａ３８０  ＮＳＳ（ｈｔｔｐＪ／ｗｗｗ．ｓａｇｅｍ―ｄｓ．ｃｏｍ／ｅｎｇ／ｂｄｓ＿ｎａｖｉｏ＿２００．ｈｔｍも参照されたし）は、ＬＲＵハウジングを備えるが、ＡＲＩＮＣに準拠していないので、統合可能な部品を迅速に交換することができない。その結果、そのような交換をするためには装置全体を解体する必要がある。
【０００５】
システム全体の費用効果的な在庫保管の観点、および保守がより困難という点から、個々の部品を迅速に交換できないことは不利である。
さらに、装置を備える装置キャリアという形でアビオニクス装置全体を迅速に交換することができない場合、航空機のアビオニクスの次の改装または欠陥装置の交換は、不利な態様で困難になる。
【０００６】
通常のアビオニクス装置は、共通規格に準拠しない寸法の部品を広範囲にわたって使用すること（例えば、仕様書ごとに製造された電子プリント回路基板などを使用すること）により、更なる不利を伴う。
また、標準化された寸法を備えながらも不利な寸法を備える電子プリント回路基板を使用することは、不利である。
例えば、６Ｕ―コンパクトＰＣＩプリント回路基板を使用すれば、プリント回路基板の選択において原価節約を達成できる。しかしながら、当該プリント回路基板の設計高さの結果として、当該プリント回路基板を統合するアビオニクス装置は、ＡＲＩＮＣに準拠しない寸法を備えることが多い。
【発明の開示】
【発明が解決しようとする課題】
【０００７】
本発明の目的は、部品およびアビオニクス装置全体を短時間で交換できることにより利便性を改善するために、上記の不利の少なくとも一つを克服することであり、さらに、スペースを節約しながら標準的な寸法を有するモジュールを使用できる結果として、アビオニクスを構造的に変化させずに新規な機能を統合することを可能にすることであり、その結果、一般に使用されるアビオニクスラックを利用して、装備済みアビオニクス装置キャリアを収容することができる。
【課題を解決するための手段】
【０００８】
以下の点で、本発明の例示的実施形態によってこの目的を満たしてもよい。すなわち、ハウジングが、ＡＲＩＮＣに準拠する寸法を備え、かつ迅速取付ハウジングとしてアビオニクスラックに設置されるように設計されるという点、および迅速取付ハウジングとしてハウジングが設計されるスライドインモジュールにおいて、特定の標準形式の任意の所望のプリント回路基板を使用できるという点である。
【０００９】
包囲ハウジングにスライドインモジュールを収容する場合は、特に有利である。
このようにして、スライドインモジュールは、より容易に保持することができ、短時間の設置または取り外しの間に損傷を受けにくい。
【００１０】
さらにまた、スライドインモジュール内の電子プリント回路基板を使用する際に、標準化されていない端末割当てを、アダプタプリント回路基板によって、スライドインモジュールの所望の端末割当てに変換することは好ましい。
【００１１】
好都合なことに、アビオニクス装置キャリアシステムのスライドインモジュールは、操作の進行中に交換できる。
従って、残りのスライドインモジュールのスイッチをオンやオフに切り替える作業工程を行う必要がない。
【００１２】
アビオニクス装置キャリアシステム内のハードディスクを使用するための独立したモジュールラックは、特に有利である。
さらにまた、この独立したモジュールラックは、振動を低減してハードディスク上で穏やかになるため、アビオニクス装置キャリアシステムのハウジング内に懸架することができる。
【００１３】
さらにまた、アビオニクス装置キャリアシステムの状態データを表示するために表示装置を統合することが好ましい。
例えば、これによって、電源における任意の故障を容易に検出することができる。
【００１４】
さらにまた、表示装置が、アビオニクス装置キャリアシステムの基本機能を制御する操作ボタン（例えばシステムをオンまたはオフに切替えるためのもの）を備えることは有利である。
【００１５】
異なるアビオニクス装置キャリアシステムハウジングの中に収容されるいくつかの装置グループを組み合わせるために、それらを縦に配置することは有利である。
このようにして、１つのハウジングからのスライドインモジュールと、別のハウジングからのスライドインモジュールとの間の相互作用が可能になる。
【発明を実施するための最良の形態】
【００１６】
以下に、図面を参照して例示的実施形態を説明する。
図１は、アビオニクスラック１に挿入され、スライドインモジュール４、６および８を有する、装備済みのアビオニクス装置キャリアシステム２の正面図を示す。スライドインモジュールは４、６および８、ハウジング１２内に配置されるラック１０、１１および１３に挿入される。
ラック１０は、ラック１１より上に配置され、スライドインモジュール４を収容する。
スライドインモジュール６は、下方のラック１１に配置される。
上述のモジュールの左側に隣接する更なるラック１３の中に、２つのスライドインモジュール８が縦に配置される。
【００１７】
補助装置の改装またはモジュールラック（以下アビオニクスラックと記載する）の近代化を容易にするために、本発明によるアビオニクス装置キャリアシステム２のハウジング１２は、広く使われているアビオニクスラック（例えばＡＲＩＮＣ  ６００規格）に関して共通の規格に準拠する寸法を備える。
従って、適切な手段を用いて固定または取り付けられるアビオニクスラックの空いている領域に、ハウジング１２を挿入することが可能である。その結果として、同様に容易にアクセス可能に設置されている場合には、交換すべきアビオニクス装置を短時間で交換することが可能になる。
本発明によるアビオニクス装置キャリアシステムを一貫して使用することによって、アビオニクスラックは、一貫して単一の規格に準拠するように設計することができ、以降は費用のかかる変更なしに新規な機能をアビオニクスラックに改装することができる。
この能力のために、本発明による装備済みのアビオニクス装置キャリアシステムによって構成されるアビオニクス装置は、ライン交換可能ユニット（ＬＲＵ）と呼ぶことができる。
【００１８】
これに加えて、上述のように、アビオニクス装置キャリアシステム２そのものは、いくつかのスライドインモジュール４、６および８を備えるアビオニクス装置内で新規な機能を提供するために、追加用または交換用のスライドインモジュールを備えることができる。
スライドインモジュール４、６および８の中の装置の各々は、ラック１０、１１および１３の中へと摺動可能なハウジングを備える。
その結果、装置部品（その一部は例えば感度の高い電子プリント回路基板である）を保護するために、装置はカプセル化されており、従って、障害のあるスライドインモジュール４、６および８の交換が相当容易になる。
それぞれのハウジングによって、スライドインモジュール４、６および８は、特に配慮を必要とせずに接触および保持することができ、結果としてそれぞれのラックから容易に取り外せるように、あるいは挿入してから締着することによってラックに統合できるように、適切なロッキング部材または取付け部材を用いて搭載することができる。
スライドインモジュールは、好ましくはツールを用いずに、例えば、スナップイン手段または引張り手段を用いて、またはロックダウンてこなどを用いて、取り付ける。
スライドインモジュール４、６および８を統合するために、関連するラック１０、１１および１３は、少なくとも部分的にスライド表面を備える。スライド表面の上で、スライドインモジュール４、６および８は、その所定の端位置へと導かれる。
従って、スライドインモジュール４、６および８は、迅速に交換可能であり、ＬＲＵでもある。
従って、上記の略語によると、本発明によるコンセプトは、「ＬＲＵ内のＬＲＵ」と呼ぶことができる。
【００１９】
ここに示す装置キャリアのスライドインモジュール４（「装置キャリア」という名称はハウジング１２およびラック１０、１１および１３の組合せを指す）は、主にデータ処理装置およびデータ送信装置であり、特に、無線データ転送（特にＷＬＡＮおよびＧＳＭ）用の装置、サーバ、ルータ、スイッチ、ファイアウォール、および通信制御用の装置である。
機内娯楽システムのためのビデオストリーミングなどのタスク、様々な通信サービスの提供、および他の多数の必要条件は、このようにして実行できる。
下記のように、スライドインモジュール４は、包囲ハウジング１４によってカプセル化される電子プリント回路基板を基本的に備える。
ここに示すスライドインモジュール４の前面パネルの一部として、ソリッドステート記憶装置（例えばコンパクトフラッシュ（登録商標）カードなど）用、および保守目的のネットワーク接続用またはＵＳＢ接続用の、スライドインスロットが可能である。
機械的には反応しないソリッドステート記憶装置は、他の使用方法の中でも、スライドインモジュールにプログラムデータまたは稼働中のシステムデータを搭載するために使用することができる。
【００２０】
図１において、スライドインモジュール６は、データ格納装置を備える。図示する実施形態において、データ格納装置は、ハウジングに入れた機械的なハードディスクである。
しかしながら、これらの装置上のデータは、セキュリティまたは操作にとってきわめて重大なデータ用に使用するべきでない。なぜなら、飛行中に生じる振動または衝撃荷重のために、ハードディスクの機能を保証することができないからである。
しかしながら、この問題を低減するために、好ましくは、振動を低減するようにラック１０の下部をハウジング１２内に懸垂する。
例えば、ハードディスクは、機内娯楽システムに関する媒体データのために使用することができる。
しかしながら、本出願時において、近い将来に、機械的なハードディスクの使用が、機械負荷に影響されにくい他の手段に置き換わることが可能であることは、予見できる。
好ましくは、データを格納するスライドインモジュール６は、ラック１０の下部に取り付けられるスタンドアロンバックプレーンＰＣＢによって、スライドインモジュール４に接続され、その上にインタフェースが配置され、必要な動作電圧が供給される。
【００２１】
縦に配置されるスライドインモジュール８は、ラック１０に設置した装置に電力を供給するために使用される。
２つの電源装置８を使用することにより、故障安全性が改善される。
【００２２】
配列、特にスライドインモジュール４および６の配列は、図１において基本的に水平に間隔を置いており、これは冷却のために有利である。
アビオニクスラックは、各アビオニクス装置に一定量の冷却空気流を提供する。その空気流は、好ましくはアビオニクス装置の下側の開口から入り、内蔵部品にわたって流れる。
垂直配置は、部品同士の間隔をあけることによって、すべての部品にわたって空気が均一に流れることを可能にし、照射や対流による部品から部品への熱伝導を低減する。
【００２３】
さらにまた、図１は、ディスプレイモジュール２８を示す。ディスプレイモジュール２８は、システム状態を示し、例えば任意のエラーを指し示す。
ディスプレイモジュールは、作動ボタンを更に備え、これによってシステム全体をオンまたはオフに切り替えることができる。
ディスプレイモジュールは、例えば、一般に使用されるＩ２Ｃ、ＩＰＭＩまたはＩＰＭＢインタフェースによって、スライドインモジュールに接続するようにできる。
【００２４】
図１に示すように、使用する部品の数は、一例としてのみ示すものであって、必要条件によって変化する。
場合によっては、フェイルセイフ動作の理由から冗長性を作り出すことが有利なことがある。
【００２５】
例示的な態様における図２は、スライドインモジュール４の内部構造を示す。
この構造は、大部分のスライドインモジュール４の場合、基本的に同一である。
所望の機能を提供するために、対応する電子ＰＣＢ１６は、スライドインモジュール４に統合される。
有利なことに、プロセッサプリント回路基板１６は、一般に使用される標準形式のものなので、この規格に準拠する電子基板であれば、任意の製造業者からの任意の電子基板をスライドインモジュール４に使用することができる。
一例として、本発明の電子プリント回路基板は、３Ｕ―コンパクトＰＣＩフォーマットを備える。
一般に使用されるアビオニクス装置において使用される電子プリント回路基板と比較すると、３Ｕ―コンパクトＰＣＩフォーマットを使用するプリント回路基板はより小さく、例えば６Ｕ―コンパクトＰＣＩカードの幅はその２倍である。
【００２６】
３Ｕ―コンパクトＰＣＩ電子プリント回路基板は、様々な入出力を引き出すために、多くのピンを有する端子板を通常備える。
コンパクトＰＣＩカードの端子板は標準化されているが、この標準化は、端子板の形態、個々のピン間の間隔、および端子板の特定領域内のピン配置に限定されている。
残りの領域のピン配置は、電子プリント回路基板の製造業者が自由に選択できる。
【００２７】
すべてのスライドインモジュールについて同一の端末割当てを行う必要性は、互いのモジュラー性および置換性という必要条件に起因する。
常に同じ端末割当てを確実に使用するためには、モデルに依存して、コンパクトＰＣＩカードの端末割当てを適合させる必要がある。
このことは、アダプタプリント回路基板１８によって実現する。アダプタプリント回路基板１８のコネクタストリップ２０は、電子プリント回路基板１６のソケットストリップ２２に接続することができる。
アダプタプリント回路基板は、製造業者によって自由に選択された接続ピンにわたって変化し、アダプタプリント回路基板のソケットストリップ２４の上で、すべてのスライドインモジュールに適用する端末割当てを提供する。
この方法によって、任意の所望の電子プリント回路基板１６は、スライドインモジュール４内で使用するように適合させることができる。
【００２８】
図３は、プリント回路基板をハウジングに挿入したスライドインモジュール４の背面図および断面図を示す。
スライドインモジュールのソケットストリップ２４は、スライドインモジュール４の後方の包囲ハウジング１４によって閉鎖し、後方はスライドインモジュール４の末端であり、この末端はラック１０に挿入される。
電子プリント回路基板１６およびアダプタプリント回路基板１８（図３においては見えない）は、プリント回路基板ガイド２６内に保持される。プリント回路基板ガイド２６は、プリント回路基板の保持のみならず、端子板の位置合わせに役立つ。
【００２９】
図４は、アビオニクス装置のために搭載され、スライドインモジュール４、６および８を備える、アビオニクス装置キャリアシステム２の横からの断面図を示す。
ラック１０の中に、スライドインモジュール４を示す。スライドインモジュール４は、電子プリント回路基板１６とアダプタプリント回路基板１８とを備える。
ラック１０の下側に、ハードディスク６を収容するために使用するラック１１が隣接し、ラック１１は、振動を低減するためにハウジング１２内に懸垂する。
【００３０】
スライドインモジュール４の後方に、バックプレーンＰＣＢ３０が隣接する。バックプレーンＰＣＢ３０は、接続すべきスライドインモジュール４ごとに、コネクタストリップ３２（図４に図示せず）を備える。コネクタストリップ３２の中に、スライドインモジュール４の末端であるソケットストリップのソケットストリップ２４が挿入される。
【００３１】
ラック１０内に配置されるスライドインモジュールの機能を提供するために、スライドインモジュール内の実際の装置とは別に、特定の接続アーキテクチャも要求される。それによって、スライドインモジュールのアプリケーションの任意の所与の目的から独立して、スライドインモジュールとアビオニクス装置キャリアシステムとの間の相互作用が可能になる。
図５は、そのような接続アーキテクチャを概略的に示す。
【００３２】
好ましくは、スライドインモジュール４同士の接続は、アビオニクス装置キャリアシステム内の共有バックプレーンＰＣＢ３０によって実現する。このバックプレーンＰＣＢ３０は、スライドインモジュールの区画ごとに、コネクタストリップ３２を備える。このコネクタストリップ３２の中に、スライドインモジュール４のそれぞれのソケットストリップ２４を挿入できる。
バックプレーンＰＣＢは、イーサネット（登録商標）接続および他の任意の信号ラインの形で、ネットワークによる通信を提供する。
このことは、スライドインモジュール区画の各コネクタストリップがイーサネット（登録商標）配線を備えることを意味し、イーサネット（登録商標）配線を通して、挿入した関連スライドインモジュールが、ネットワークまたはサブネットワークに参加する。
この目的のために、一般に使用される３Ｕ―コンパクトＰＣＩカードの端子板上の対応するピンは、それぞれのアダプタプリント回路基板１８によって、アビオニクス装置キャリアシステムの後方プリント回路基板上の対応するスライドインモジュール区画のコネクタストリップ３２に接続させられる。
要求される動作電圧をコンパクトＰＣＩカードに提供するために、端子板の更なるピンは、バックプレーンＰＣＢまたは基板のそれぞれのアダプタプリント回路基板１８およびコネクタストリップ３２によって、電源装置８に接続される。
【００３３】
コンパクトＰＣＩプリント回路基板の操作は、更なる入力または出力を要求しない。しかしながら、オプションとして更なる信号ラインを加えてもよく、それによって、例えばシステム状況を監視することが可能である。
しかしながら、アビオニクス装置キャリアシステム２の中にＰＣＩバス自体を提供することは、コンパクトＰＣＩカードを統合するためには要求されない。
操作の進行中に任意の部品を交換できる能力に関する限り、さらに、イーサネット（登録商標）接続が好ましい。
任意の所望の区画に配置されるスライドインモジュールを明確に識別するために、電子的手段および機械的手段が利用可能なので、装置ごとにわかっている提供されたネットワークアドレスを確実に受信することができる。
【００３４】
さらにまた、ネットワーク接続（例えば、データトラフィックの制限またはサブネットの設定）を制御するために、対応する装置がスライドインモジュール区画に挿入され、その装置が管理業務を行う。
図５は、バックプレーンＰＣＢのすべてのコネクタストリップ３２と通信するバックプレーンスイッチを示す。
ラック１０に設置できるネットワークディストリビュータによって、スライドインモジュール４同士のデータトラフィックを、バックプレーンスイッチで制御することができる。
これにより、装置グループを越えて互いに独立した通信が可能になる。
例えば、同じバックプレーンＰＣＢに接続される装置であっても、航空機の厨房機能を監視する装置は、機内娯楽システムとは通信しないようにすることができる。
しかしながら、必要であれば、サブネットから独立したデータ転送は、更なるネットワーク管理装置によって許可することができる。
【００３５】
ラック１１に収容するハードディスク６（図１を参照）は、共有コネクタストリップ３４および任意に独立したバックプレーンＰＣＢによって、ラック１０内のスライドインモジュール４の装置に接続される。
好ましくは、例えばシリアルＡＴＡインタフェース（ＳＡＴＡ）の場合、操作中にハードディスクを交換することができるインタフェースを選択する。
【００３６】
装備済みのアビオニクス装置キャリアシステムは、ハウジング１２に配置される更なるコネクタストリップ３６によって、アビオニクスラック内の対応するものに更に接続される。
従って、交換する場合にケーブルを切断するための必要条件はない。
【００３７】
上述の応用分野、記載した装置、アビオニクス装置キャリアシステムのハウジング１２における装置の配置、上述の電子プリント回路基板のフォーマット、およびそれぞれの一般に使用される規格は、本発明の例示的実施形態を言及するのみであり、本発明を限定するものとして解釈すべきではない。
本発明の保護の範囲は、特許請求の範囲に基づく。
【００３８】
さらにまた、特許請求の範囲における参照符号は、特許請求の範囲を限定するものとして解釈すべきではない。
【００３９】
なお、「備える」は、他の部材またはステップを除外せず、「１つの」は、複数を除外しない。
また、異なる実施形態に関連して記載する部材を組み合わせてもよい。
【図面の簡単な説明】
【００４０】
【図１】装備済みのアビオニクス装置キャリアシステムを示す正面図である。
【図２】スライドインモジュールを示す立体図である。
【図３】電子プリント回路基板を挿入したスライドインモジュール４を示す背面図および断面図である。
【図４】装備済みのアビオニクス装置キャリアシステムを横から示す断面図である。
【図５】バックプレーン接続アーキテクチャを示す概略図である。
【図１】
2009509222.tif 000003
【図２】
2009509222.tif 000004
【図３】
2009509222.tif 000005
【図４】
2009509222.tif 000006
【図５】
2009509222.tif 000007
【国際調査報告】
2009509222.tif 000008
2009509222.tif 000009